(57)【特許請求の範囲】
【請求項１】
内容物を固定する固定シートと、該固定シートを収納するための、２枚の側壁用の積層材料と、それらの下部の間に１枚の底部用の積層材料を内側に折り込んでガセット部を形成し、周囲の端縁部をヒートシールしてなる自立性袋と、からなる複合容器において、前記自立性袋が底部と反対側の位置に吊り下げ部を有し、前記固定シートはその一方を円弧状周縁部とし、且つ該円弧状周縁部を挟み前記自立性袋の内側に一致する前記固定シートの二辺をスライドさせて前記円弧状周縁部が自立性袋の底部側になるように収納されてなることを特徴とする複合容器。
【請求項２】
前記固定シートはその円弧状周縁部が自立性袋の底部の内縁と少なくとも一点以上の部分で接していることを特徴とする請求項１記載の複合容器。
【請求項３】
前記底部のガセット部が船底形のシールパターンでヒートシールされていることを特徴とする請求項１又は請求項２記載の複合容器。
【発明の詳細な説明】
【技術分野】
【０００１】
本発明は内容物を固定する固定シートと、前記固定シートを収納する自立性袋とを具備する複合容器に関するものである。
【背景技術】
【０００２】
従来、リツプクリームなどの棒状製品は成形トレーと台紙からなるブリスター形式の包装形態で包装し、店頭で吊り下げた状態で陳列、販売されている場合がほとんどである。前記包装形態で包装したものとの差別化を図るために、特殊形状の底部を有する自立性の軟包装袋に収納し、店頭で軟包装袋を自立させて陳列、販売する方法が考えられるが、この場合は軟包装袋の中で棒状製品が斜め状に包装されたり、底部に横状に包装されてしまったりして正規の状態で包装されず、見栄えが非常に悪くなって商品価値を低下させてしまう問題があった。これらの問題を解決する為に、店頭でのディスプレイ効果が優れる包装容器が求められていた。
【発明の開示】
【発明が解決しようとする課題】
【０００３】
本発明の課題は、棒状等の内容物を見栄え良く包装でき、さらに店頭で吊り下げたり、立体状に自立させて陳列できる複合容器を提供することにある。
【課題を解決するための手段】
【０００４】
本発明の請求項１に係る発明は、内容物を固定する固定シートと、該固定シートを収納するための、２枚の側壁用の積層材料と、それらの下部の間に１枚の底部用の積層材料を内側に折り込んでガセット部を形成し、周囲の端縁部をヒートシールしてなる自立性袋と、からなる複合容器において、前記自立性袋が底部と反対側の位置に吊り下げ部を有し、前記固定シートはその一方を円弧状周縁部とし、且つ該円弧状周縁部を挟み前記自立性袋の内側に一致する前記固定シートの二辺をスライドさせて前記円弧状周縁部が自立性袋の底部側になるように収納されてなることを特徴とする複合容器である。
【０００５】
本発明の請求項２に係る発明は、上記請求項１に係る発明において、前記固定シートはその円弧状周縁部が自立性袋の底部の内縁と少なくとも一点以上の部分で接していることを特徴とする複合容器である。
【０００６】
本発明の請求項３に係る発明は、上記請求項１又は請求項２に係る発明において、前記底部のガセット部が船底形のシールパターンでヒートシールされていることを特徴とする複合容器である。
【発明の効果】
【０００７】
本発明の複合容器は、内容物を固定する固定シートと、該固定シートを収納するための、２枚の側壁用の積層材料と、それらの下部の間に１枚の底部用の積層材料を内側に折り込んでガセット部を形成し、周囲の端縁部をヒートシールしてなる自立性袋と、からなる複合容器において、前記自立性袋が底部と反対側の位置に吊り下げ部を有し、前記固定シートはその一方を円弧状周縁部とし、且つ該円弧状周縁部を挟み前記自立性袋の内側に一致する前記固定シートの二辺をスライドさせて前記円弧状周縁部が自立性袋の底部側になるように収納されてなり、前記固定シートはその円弧状周縁部が自立性袋の底部の内縁と少なくとも一点以上の部分で接しており、前記底部のガセット部が船底形のシールパターンでヒートシールされているので、固定シートの所定位置に内容物を固定すれば見栄え良く内容物が包装され、また、自立性袋の底部を下にして自立させて陳列することができ、あるいは自立性袋の吊り下げ部から吊り下げて陳列することも可能である。
【発明を実施するための最良の形態】
【０００８】
本発明の複合容器を実施の形態に沿って、以下に説明する。図２（ａ）は本発明の複合容器の自立性袋に使用する積層材料の一実施形態を示す側断面図であり、積層材料（１００）は、厚み方向に順に、基材層（１０１）、接着剤層（１０２）、シーラント層（１０５）が積層されており、（ｂ）は積層材料の他の実施形態を示す側断面図であり、積層材料（１００′）は、厚み方向に順に、基材層（１０１）、接着剤層（１０２）、ガスバリア層（１０３）、接着剤層（１０４）、シーラント層（１０５）が積層されている。
【０００９】
前記基材層（１０１）には、二軸延伸ポリプロピレンフィルム（ＯＰＰフィルム）、二軸延伸ポリエステルフィルム（ＰＥＴフィルム）、二軸延伸ナイロンフィルム（ＯＮＹフィルム）等の単層フィルム又はこれらが積層された多層フィルムを使用する。各々のフィルムの厚みは、ＯＰＰフィルムが２０〜４０μｍ、ＰＥＴフィルムが６〜２５μｍ、ＯＮＹフィルムが１５〜２５μｍの範囲のものが利用される。
【００１０】
前記接着剤層（１０２、１０４）は、一般的に水酸基を持った主剤とイソシアネート基を持った硬化剤とを混合した二液混合型接着剤を主に使用し、塗布方法としてはグラビアコート法、ロールコート法などで塗布する。接着剤の塗布量は１〜５ｇ／ｍ2（ 乾燥状態）である。
【００１１】
前記ガスバリア層（１０３）としては、厚さ６〜９μｍのアルミニウム箔、厚さ６〜３０μｍのアルミニウム蒸着フィルム、酸化珪素若しくは酸化アルミニウムなどの無機酸化物を蒸着した蒸着ポリエステルフィルム（厚さ６〜１２μｍ）、厚さ６〜１５μｍの二軸延伸ポリビニルアルコールフィルム、厚さ６〜２０μｍのエチレン・ビニルアルコールフィルム等が使用される。
【００１２】
前記シーラント層（１０５）は、ポリオレフィン系樹脂若しくはポリオレフィン系樹脂フィルムからなっており、樹脂の種類としては、低密度ポリエチレン樹脂、中密度ポリエチレン樹脂、高密度ポリエチレン樹脂、直鎖状低密度ポリエチレン樹脂、エチレン・酢酸ビニル共重合体樹脂、アイオノマー樹脂、ホモポリプロピレン樹脂、プロピレン・エチレンランダム共重合体樹脂、プロピレン・エチレンブロック共重合体樹脂、ポリプロピレン・α−オレフィン共重合体樹脂などを適宜選定し、積層方法はポリオレフィン系樹脂の場合は公知の溶融押出ラミネーション法で積層し、ポリオレフィン系樹脂フィルムの場合は公知のドライラミネーション法あるいはサンドイッチラミネーション法で積層する。厚さは４０〜１００μｍ程度が良く使用される。
【００１３】
本発明の複合容器の固定シートに使用する材料は、特に限定されず、例えば、ポリエステル系シート、無延伸ポリプロピレンシート、ポリスチレン系シート、板紙、板紙に高分子樹脂層を積層した積層材などが使用可能であり、固定シートの形状としては、平坦な板形状あるいは所定形状に成形した成形体などがある。
【００１４】
図１（ａ）は本発明の複合容器に使用する自立性袋の一実施形態を示す斜視図であり、自立性袋（１０）は、前記積層材料（１００）又は積層材料（１００′）を用いて製袋されており、底部（１１）が側壁用の２枚の積層材料の下部の間に底部用の１枚の積層材料を折り返し部（１２）を介して内側に折り込んで挿入してなるガセット部（１４）を有する形式で形成され、ガセット部（１４）が船底形にヒートシールされてなる底シール部（１３）を有しており、底シール部（１３）の両端にサイドシール部（１５、１６）を有し、底部（１１）の反対側の開口辺（１７）に近接する位置に吊り下げ部（１８）を有しており、底部（１１）を下にして自立させることができる。
【００１５】
前記吊り下げ部（１８）は、積層材料を貫通した貫通孔、吊り下げ用取っ手、吊り下げ用フックのいずれでも良い。
【００１６】
図１（ｂ）は本発明の複合容器に使用する固定シートの一実施形態を示す斜視図であり、固定シート（２０）は、内容物を収納し、固定する為に設けた凹状収納部（２５）の周囲に水平に延びた平板部（２１）を有し、平板部（２１）は、少なくとも、その外周の所定位置に固定シートの収納方向を示唆する為の円弧状周縁部（２２）を有し、円弧状周縁部（２２）の両端に直線状のスライド部（２３、２４）を有する形状で、スライド部（２３）とスライド部（２４）間の距離は自立性袋（１０）内に円弧状周縁部（２２）からスライドさせながら収納できるように、自立性袋（１０）の幅方向の内寸法と近似する距離になっている。
【００１７】
前記固定シート（２０）は、内容物の凹状収納部を有しないで、外周の所定位置に固定シートの収納方向を示唆する為の円弧状周縁部を有し、円弧状周縁部の両端の二辺に直線状のスライド部を有する平板部のみの形状のものでも良く、この場合は内容物を平板部に粘着テープ、紐材等で目的とする位置に固定すると良い。
【００１８】
図１（ｃ）は本発明の複合容器の一実施形態を示す平面図であり、複合容器（３０）は、図１（ａ）に示す形状の自立性袋（１０）の中に、図１（ｂ）に示す形状の固定シート（２０）を、固定シート（２０）の円弧状周縁部（２２）の部分から自立性袋（１０）の中にスライド部（２３、２４）を自立性袋（１０）のサイドシール部（１５、１６）の内側端縁にスライドさせながら、その円弧状周縁部（２２）が自立性袋（１０）の底部（１１）の内縁と少なくとも一点以上の部分で接触する状態まで収納する。上記方法で固定シート（２０）を自立性袋（１０）の中に収納することで、固定シート（２０）が自立性袋（１０）の中にぴったりした状態で収納される。
【００１９】
本発明の複合容器は、上記記載の如く、外周に円弧状周縁部を有する固定シートはその円弧状周縁部が自立性袋の底部の内縁と少なくとも一点以上の部分で接した状態で、ぴったり収納されているので、前もって、固定シートの所定位置に固定された内容物は見栄え良く包装されることになり、さらに、吊り下げ部から吊り下げたり、底部を下にして立体的に自立させて陳列することも可能であり、陳列した時に優れたディスプレイ効果を発揮する特徴を有する。
【図面の簡単な説明】
【００２０】
【図１】（ａ）は本発明の複合容器に使用する自立性袋の一実施形態を示す斜視図であり、（ｂ）は本発明の複合容器に使用する固定シートの一実施形態を示す斜視図であり、（ｃ）は本発明の複合容器の一実施形態を示す平面図である。
【図２】（ａ）は本発明の複合容器の自立性袋に使用する積層材料の一実施形態を示す側断面図であり、（ｂ）は積層材料の他の実施形態を示す側断面図である。
【符号の説明】
【００２１】
１０…自立性袋
１１…底部
１２…底部用の積層材料の折り返し部
１３…底シール部
１４…ガセット部
１５，１６…サイドシール部
１７…開口辺
１８…吊り下げ部
２０…固定シート
２１…平板部
２２…円弧状周縁部
２３，２４…スライド部
２５…凹状収納部
３０…複合容器
１００，１００′…積層材料
１０１…基材層
１０２…接着剤層
１０３…ガスバリア層
１０４…接着剤層
１０５…シーラント層
【図１】
0005098497.tif 000002
【図２】
0005098497.tif 000003